(57)【要約】【課題】  振動効率の更なる向上を可能にした永久磁石型動電式振動発生機を提供する。【解決手段】永久磁石型動電式振動発生機においては、コイル挿通孔３内に充填された磁性流体１０によって、駆動コイル７とヨーク２との間の空隙を封鎖しているので、非常に高い熱伝導効率を有する磁性流体を介して、駆動コイル７の熱がヨーク２に伝達され、その熱が熱伝導部２０を介して外部に放出されるので、駆動コイル７の温度上昇が抑制され、その結果として、駆動コイル７の電気抵抗の上昇が抑制され、振動の効率化が図られている。さらに、可動部５の高速振動時に、駆動コイル７が、コイル挿通孔３を形成する壁面に接触することがなく、極めてスムーズに可動部５を振動させることができる。【選択図】  図１
2007322278.tif 000002
【特許請求の範囲】
【請求項１】
可動部に設けられた駆動コイルは、永久磁石とヨークとで形成された磁気回路を横切るように配置されると共に、前記ヨークに設けられたコイル挿通孔内に配置されている動電式振動発生機において、
前記コイル挿通孔内に充填されて、前記駆動コイルと前記ヨークとの間の空隙を封鎖する磁性流体と、
前記ヨークの外面に当接して配置された熱伝導部と、を備えたことを特徴とする永久磁石型動電式振動発生機。
【請求項２】
前記熱伝導部は、前記ヨークの外面全体に渡って延在することを特徴とする請求項１記載の永久磁石型動電式振動発生機。
【請求項３】
前記ヨークと前記永久磁石とで画成された第１の圧縮空気室と、前記第１の圧縮空気室に連通すると共に前記可動部内に形成された第２の圧縮空気室と、を更に備えたことを特徴とする請求項１又は２記載の永久磁石型動電式振動発生機。
【発明の詳細な説明】
【技術分野】
【０００１】
本発明は、振動解析、異音解析、耐久試験などに利用される動電式振動発生機に関するものである。
【背景技術】
【０００２】
従来、このような分野の技術として、特開平６−３２３９５０号公報がある。この公報に記載された動電式振動発生機は、可動部のテーブルに固定された脚部の下端側に駆動コイルが固定され、この駆動コイルは、永久磁石とヨーク（継鉄）とで形成された磁気回路を横切るように設けられたコイル挿通孔内に配置されている。そして、可動部の案内軸は、ヨークの中央に固定された静圧軸受によって軸支されている。さらに、カバーにより脚部が包囲され、脚部に設けられた開口部を介して可動部内とカバー内を連通させ、ヨーク内に設けられた圧縮空気室と可動部内とをコイル挿通孔を介して連通させている。従って、カバーに設けられた圧縮空気供給管から圧縮空気を供給することにより、可動部を所定の空気圧力で保持することができるので、波形歪みの低減が可能になる。
【０００３】
【特許文献１】特開平６−３２３９５０号公報
【発明の開示】
【発明が解決しようとする課題】
【０００４】
しかしながら、振動発生機の可動部が振動する際、変動コイルや励磁コイルが加熱されるが、この熱がヨーク内に滞留すると、変動コイルや励磁コイルの温度上昇が促進される。その結果として、コイルの電気抵抗が上昇し、振動効率の低減を招来していた。
【０００５】
本発明は、振動効率の更なる向上を可能にした永久磁石型動電式振動発生機を提供することを目的とする。
【課題を解決するための手段】
【０００６】
本発明に係る永久磁石型動電式振動発生機は、可動部に設けられた駆動コイルは、永久磁石とヨークとで形成された磁気回路を横切るように配置されると共に、ヨークに設けられたコイル挿通孔内に配置されている動電式振動発生機において、
コイル挿通孔内に充填されて、駆動コイルとヨークとの間の空隙を封鎖する磁性流体と、ヨークの外面に当接して配置された熱伝導部と、を備えたことを特徴とする。
【０００７】
この永久磁石型動電式振動発生機においては、コイル挿通孔内に充填された磁性流体によって、駆動コイルとヨークとの間の空隙を封鎖しているので、非常に高い熱伝導効率を有する磁性流体を介して、駆動コイルの熱がヨークに伝達され、その熱が熱伝導部を介して外部に放出されるので、駆動コイルの温度上昇が抑制され、その結果として、駆動コイルの電気抵抗の上昇が抑制され、振動の効率化が図られている。さらに、可動部の高速振動時に、駆動コイルが、コイル挿通孔を形成する壁面に接触することがなく、極めてスムーズに可動部を振動させることができる。
【０００８】
また、熱伝導部は、ヨークの外面全体に渡って延在すると好適である。このような構成によって、ヨーク全体の有効利用を図り、熱を効率よく外部に放出させることができる。
【０００９】
また、ヨークと永久磁石とで画成された第１の圧縮空気室と、第１の圧縮空気室に連通すると共に可動部内に形成された第２の圧縮空気室と、を更に備えると好適である。このような構成を採用した場合、第１の圧縮空気室と第２の圧縮空気室とを連通させているので、静止時において可動部を中立位置に保持することができ、大きな振幅であっても波形歪みの低減を可能にしている。
【発明の効果】
【００１０】
本発明によれば、振動効率の更なる向上を可能にしている。
【発明を実施するための最良の形態】
【００１１】
以下、図面を参照しつつ本発明に係る永久磁石型動電式振動発生機の好適な実施形態について詳細に説明する。
【００１２】
図１に示すように、永久磁石型動電式振動発生機１の下部には、磁気回路Ｐを構成するヨーク（継鉄）２及び永久磁石４が配置され、上部にはカップ状の可動部５が配置されている。ヨーク２は、中央に配置したブロック状の第１のヨーク部２Ａと、側方に位置するボックス状の第２のヨーク部２Ｂとからなり、第２のヨーク部２Ｂは、平坦な底部２ａと、底部２ａの端部から立設する外周部２ｂと、外周部２ｂの上端から第１のヨーク部２Ａの周面に向けて延在する上部２ｃとからなる。
【００１３】
そして、中央に配置した第１のヨーク部２Ａの周面と、周囲に配置した第２のヨーク部２Ｂの上部２ｃの遊端との間を離間させることで、環状のコイル挿通孔３を形成し、ブロック状の第１のヨーク部２Ａの底面と第２のヨーク部２Ｂの底部２ａの上面とで永久磁石４を挟み込むことで、矢印で示されるような磁気回路Ｐが形成される。
【００１４】
さらに、磁気回路Ｐの途中に配置された永久磁石４とヨーク２とで第１の圧縮空気室Ｓ１が画成され、第１の圧縮空気室Ｓ１は、振動軸線Ｌを中心に環状に形成されている。そして、ヨーク２の外周部２ｂには、第１の圧縮空気室Ｓ１に連通する圧縮空気供給管６が固定され、この圧縮空気供給管６は、図示しないコンプレッサに接続され、圧縮空気供給管６の途中には、空気圧調整のためのバルブ８が設けられている。
【００１５】
さらに、振動発生機１の上部に配置したカップ状の可動部５は、上端が閉鎖され且つ底部が開放され、可動部５内は第２の圧縮空気室Ｓ２として形成されている。この可動部５の円筒状脚部５ａの下端側に固定された駆動コイル７は、振動軸線Ｌを中心に筒状に巻回されると共に、環状のコイル挿通孔３内に配置されている。駆動コイル７をこの位置に配置させることで、駆動コイル７は磁気回路Ｐを横切るように配置され、駆動コイル７に交流の電流を流すことで、可動部５を、所定の周波数で振動させることができる。
【００１６】
さらに、コイル挿通孔３内には磁性流体１０が充填され、この磁性流体１０によって、駆動コイル７と第１のヨーク部２Ａとの間の空隙を封鎖している。そして、中央の第１のヨーク部２Ａには、第１の圧縮空気室Ｓ１と第２の圧縮空気室Ｓ２とを連通させるためのＬ字状の連通路９が形成されている。なお、第１の圧縮空気室Ｓ１と第２の圧縮空気室Ｓ２との連通状態は、連通路９の径を変えることで適宜調整可能であり、第１及び第２の圧縮空気室Ｓ１，Ｓ２内の圧力は、コンプレッサから供給される圧縮空気により、適宜調整可能になっている。
【００１７】
このようにして、第１の圧縮空気室Ｓ１と第２の圧縮空気室Ｓ２とを連通させているので、コンプレッサから供給される圧縮空気によって、静止時において可動部５を中立位置に保持することができる。さらに、ヨーク２に連通路９を設けることで、圧縮空気室Ｓ１，Ｓ２間を確実に連通させることができ、その結果として、圧縮空気室Ｓ１，Ｓ２の容積の実質的な増大を確実なものとし、可動部５が振動する際の圧縮空気室Ｓ１，Ｓ２内の圧力変化を極めて小さくすることができる。このことは、波形歪みの更なる低減を可能にするものである。
【００１８】
さらに、駆動コイル７とヨーク２との間の空隙を封鎖する磁性流体１０がコイル挿通孔３内に充填されているので、可動部５の高速振動時に、駆動コイル７が、コイル挿通孔３を形成する壁面に接触することがなく、極めてスムーズに可動部５を振動させることができる。さらに、同圧の第１の圧縮空気室Ｓ１と第２の圧縮空気室Ｓ２と間に設けられたコイル挿通孔３をシールするように磁性流体１０を配置させているので、磁性流体１０は、駆動コイル７の高速振動によっても飛散し難く、高いシール性を保持させ続けることができる。さらに、この振動発生機１は、シンプルな構成もって圧縮空気室の拡大を容易にし、波形歪みが極めて少ないバランスの良い振動が可能になっている。
【００１９】
さらに、可動部５の振動を安定させて波形歪み更なる低減を可能にするために、可動部５は上下２段の板バネ１１，１２によって振動軸線Ｌ方向に弾発的に保持され、振動軸線Ｌに対して直交する方向に延在するドーナツ形状の板バネ１１，１２は、ヨーク２に固定されたカバー１３によって包囲されている。各板バネ１１，１２は、カバー１３と第２のヨーク部２Ｂの上部２ｃとの間には、３分割されたスペーサ１４が立設され、内端が可動部５の外周面に固定された上段側の板バネ１１と下段側の板バネ１２との間隔は、スペーサ１４によって一定に保たれている。そして、被振動体１５を配置させるために、カバー１３の中央の開口から可動部５の頂部を露出させている。
【００２０】
さらに、熱伝導の良好な、例えばシリコンから成る熱伝導部２０が、ヨーク２の外面全体に当接して配置され、この熱伝導部２０は、放熱効果の高い筐体２１によって保護されている。
前記筐体２１は熱伝導の良好な材質、例えば、アルミから成っている。
【００２１】
このような動電式振動発生機１においては、コイル挿通孔３内に充填された磁性流体１０によって、駆動コイル７とヨーク２との間の空隙を封鎖しているので、非常に高い熱伝導効率（例えば空気の約６倍の熱伝導効率）を有する磁性流体１０を介して、駆動コイル７の熱がヨーク２に伝達され、その熱が熱伝導部２０及び筐体２１を介して外部に放出されるので、駆動コイル７の温度上昇が抑制され、その結果として、駆動コイル７の電気抵抗の上昇が抑制され、振動の効率化が図られている。さらに、可動部５の高速振動時に、駆動コイル７が、コイル挿通孔３を形成する壁面に接触することがなく、極めてスムーズに可動部５を振動させることができる。
【００２２】
また、筐体２１をファンＦにより冷却し続けることによって、駆動コイル７の温度上昇を更に抑制することができ、その結果として、振動の更なる効率化を図ることができる。
【図面の簡単な説明】
【００２３】
【図１】本発明に係る永久磁石型動電式振動発生機の一実施形態を示す断面図である。
【符号の説明】
【００２４】
１…永久磁石型動電式振動発生機
２…ヨーク
３…コイル挿通孔
４…永久磁石
５…可動部
６…圧縮空気供給管
７…駆動コイル
９…連通路
１０…磁性流体
１１，１２…、板バネ
２０…熱伝導部
Ｓ１…第１の圧縮空気室
Ｓ２…第２の圧縮空気室
Ｌ…振動軸線
Ｐ…磁気回路
【図１】
2007322278.tif 000003